(57)【要約】【課題】従来、ろうそくの点燈後の所望の時間経過後に自動消火をさせることが出来ず、燃え尽きるまで放置したくない時は、絶えず消火のタイミングを気遣っていなければならず、消し忘れによる火事の危険がつきまとった。消火のタイミングを気遣うことなく、自ずと消火出来る自動消火器具を提供する。【解決手段】粘土のような、水分を含んで耐熱性に富む素材を用いて、ドーナツ状の肉厚い円筒状を形成し、円筒の厚みのある壁内部をほぼ一周する形で、小さな開口部の有る形状の、埋め込み補強バネの開口部の真ん中を通る縦中心線及び、その真向かいの円筒壁は、幅狭い切れ目で、円筒壁が２等分され且つバネで円筒壁を一体に結合し、バネの開口部で僅かに開閉し、開口部の真向かいの切れ目が、緩衝部として開閉を円滑にし、円筒壁の破損を防止する機能を持つことを特徴とするろうそくの自動消火器具。【選択図】図１
2015036615.tif 000002
【特許請求の範囲】
【請求項１】
粘土のような、水分を含んで耐熱性に富む素材を用いて、ドーナツ状の厚みを有し且つ市販の一般的なろうそくの外径に対応符合する内径を有するところの円筒状を形成し、円筒の厚みのある壁内部をほぼ一周する形で、小さな開口部の有る形状のバネ材を補強のために埋め込み、この埋め込み補強バネの開口部の真ん中を通る縦中心線及び、その真向かいに当たる円筒壁は、約１−２ｍｍ程の切れ目になって、円筒壁が２等分されており、２等分された円筒壁が埋め込み補強バネによって一体に結合され、埋め込み補強バネの開口部において僅かに開閉し、開閉の時には、開口部の真向かいに当たる円筒壁の切れ目が、緩衝部として開閉を円滑にし、円筒壁の破損を防止する機能を持つことを特徴とするろうそくの自動消火器具。
【発明の詳細な説明】
【技術分野】
【０００１】  この発明は、灯されたろうそくの炎が自ずと消えるための器具に関するものである。
【背景技術】
【０００２】  従来、一旦灯されたろうそくの炎は、人が吹き消すか燃え尽きるまで放置されるのが一般的であった。つり鐘状の筒体を炎にかぶせて消すろうそくの火消し具も知られている（特許文献１参照）。又、トング用のもので燃えている芯先を挟んで消す火消し具も知られている（特許文献２参照）。
【先行技術文献】
【特許文献】
【０００３】
【特許文献１】登録実用新案第３０２１３２２号公報
【特許文献２】特許公開２００９−３０９５２号公報
【発明の開示】
【発明が解決しようとする課題】
【０００４】  従来、ろうそくは一旦火をつけて灯されると、人の口で吹き消さない限り燃え尽きるまで無駄に燃え続けるまま放置されることが多かった。風で吹き消されたり、地震で倒れたりして消える場合には、それ自体が火事のもとになる危険性をはらむ。参照文献１及び２に示される先行技術は、ろうそくの炎を消すこと自体には有効であるが、点火後の時間経過の中で気遣いをしながら、消したいと思った時にわざわざ火消し具を持出して特別の消火行為をせねばならず、点火後に放置しておいても自ずと消えるというものではない。
本発明は、以上の問題点を解決するためになされたものである。
【課題を解決するための手段】
【０００５】  粘土のような、水分を含んで耐熱性に富む素材を用いて、ドーナツ状の厚みを有し且つ市販の一般的なろうそくの外径に対応符合する内径を有するところの円筒状を形成し、円筒の厚みのある壁内部をほぼ一周する形で、小さな開口部の有る形状のバネ材を補強のために埋め込み、この埋め込み補強バネの開口部の真ん中を通る縦中心線及び、その真向かいに当たる円筒壁は、約１−２ｍｍ程の切れ目になって、円筒壁が２等分されており、２等分された円筒壁が埋め込み補強バネによって一体に結合され、埋め込み補強バネの開口部において僅かに開閉し、開閉の時には、開口部の真向かいに当たる円筒壁の切れ目が、緩衝部として開閉を円滑にし、円筒壁の破損を防止する機能を持っている。
以上を特徴とするろうそくの自動消火器である。
【発明の効果】
【０００６】  ろうそくの火を灯しておきたい時間を大まかに想定して、それに対応するろうそくの消費される長さを見込んで、適度の位置に本発明を装着しておけば、火をつけた後、気にかけなくてもろうそくは自ずと消火され、うっかり消し忘れ等による火事の危険等も予防出来る。又、ろうそく自体の無駄な消費も防いで節約にもなる。
【図面の簡単な説明】
【０００７】
【図１】ろうそくの軸に本発明を取り付けた状態を示す斜視図
【図２】図１を正面から見た場合の断面図
【図３】本発明の斜視図
【図４】本発明の一部である埋め込み補強バネの斜視図
【発明を実施するための形態】
【０００８】  粘土のような、水分を含んで耐熱性に富む素材を用いて、ドーナツ状の厚みを有し且つ市販の一般的なろうそく（１）の外径に対応符合する内径（３）を有するところの円筒状を形成し、円筒の厚みのある壁内部をほぼ一周する形で、小さな開口部の有る形状のバネ材を補強のために埋め込み、この埋め込み補強バネ（５）の開口部の真ん中を通る縦中心線及び、その真向かいに当たる円筒壁は、約１−２ｍｍ程の切れ目（４）になって、円筒壁が２等分されており、２等分された円筒壁が埋め込み補強バネ（５）によって一体に結合され、埋め込み補強バネ（５）の開口部において僅かに開閉し、開閉の時には、開口部の真向かいに当たる円筒壁の切れ目（４）が緩衝部として開閉を円滑にし、円筒壁の破損を防止する機能を持っている。
本発明は、以上のような構成であり、以下、その実際の使い方を説明する。
本発明の自動消火器具（２）を使用する時には、水を入れた容器の中に自動消火器具（２）全体を一定時間水浸けし、自動消火に必要な水分を吸い込ませておく。
次に、自動消火器具（２）を水から出し、円筒状表面のべたつきが無くなった後で、ろうそく（１）の胴体に嵌め、所望の位置に自動消火器具（２）を移動し、移動を止めて手を離すと同時に、自動消火器具（２）は埋め込み補強バネ（５）の機能によって自ずとろうそく（１）の胴体に固定され、装着が完了し、使用を開始することが出来る。
一度使用した自動消火器具（２）は、円筒内壁の部分にろうそく（１）のロウ滓が付着している場合があるので、この滓を取り除き再使用に備えておく。このような手順と操作をすることで、本発明の自動消火器具（２）を繰り返して使うことが出来る。
ろうそく（１）が燃え尽きるまで意図的に放置しておきたい場合を除き、一旦灯したろうそく（１）の火を、燃え尽きるよりも前に、一定時間経過後自動的に消したい時は、点火する前にまず本発明の自動消火器具（２）をろうそく（１）の胴体に嵌めて装着する。その場合、それぞれの符合し合うはずの内径（３）・外径に僅かなズレが生じたとしても、埋め込み補強バネ（５）とそれに連動する切れ目（４）による融通性があるので、装着できずに困る心配はない。また、開口部の真向かいに当たる円筒壁の切れ目（４）が有ることで、開口部の開閉の時には、緩衝部として開閉の動作を円滑にし、円筒壁の破損を防止することが出来る。
ろうそく（１）を灯し続けたい予定時間とろうそく（１）の消費速度を考慮して、大まかなメドをつけて、自動消火器具（２）の装着位置を決め、所望の位置で手を離せば、そこに止め固定される。
そのようにした上でろうそく（１）に火をつけたら、その後は、炎の根元が自動消火器具（２）の位置まで達したら、ひとりでに炎は消える。
【符号の説明】
【０００９】１  ろうそく、    ２  自動消火器具、    ３  内径、    ４  切れ目、
５  埋め込み補強バネ
【図１】
2015036615.tif 000003
【図２】
2015036615.tif 000004
【図３】
2015036615.tif 000005
【図４】
2015036615.tif 000006